(57)【特許請求の範囲】
【請求項１】
式（Ｉ）；
Ｃ５Ｈ１１ＣＨ（ＣＨ２ＣＨ２ＣＨ３）ＣＨ２Ｏ（ＣＨ２ＣＨ（Ｘ）Ｏ）ｎＨ  （Ｉ）
［式中、Ｘ＝（ＣＨ２）ａＣＨ３（式中、ａ＝０又は１である）であり、ｎ＝０．５〜５である］の化合物；及び分枝状又は線状Ｃ４−Ｃ１０アルキルグリコシドからなる群より選択される１種又はそれ以上のヒドロトロープを含む脱泡及び／又は消泡剤。
【請求項２】
前記ヒドロトロープがｎ−ヘキシルグルコシド又は２−エチルヘキシルグルコシドである、請求項１に記載の脱泡及び／又は消泡剤。
【請求項３】
アシル基が８〜２２個の炭素原子を含有し、飽和若しくは不飽和であってよく、線状若しくは分枝状であってよい脂肪酸石鹸；又はクメンスルホネート及びキシレンスルホネートの群から選択されるスルホネートからなる群より選択される１種若しくはそれ以上のアニオン性ヒドロトロープをさらに含む、請求項１又は２に記載の脱泡及び／又は消泡剤。
【請求項４】
Ｎ，Ｎ−ビス（３−アミノプロピル）ドデシルアミンを含む組成物中で気泡形成を防止するための、請求項１〜３のいずれか１項に記載の脱泡及び／又は消泡剤。
【請求項５】
請求項１〜３のいずれか１項に記載の脱泡及び／又は消泡剤と、Ｎ，Ｎ−ビス（３−アミノプロピル）ドデシルアミンとを含む組成物。
【請求項６】
Ｎ，Ｎ−ビス（３−アミノプロピル）ドデシルアミンを含む組成物中で気泡形成を防止する方法であって、請求項１から４のいずれか１項に記載の脱泡及び／又は消泡剤の気泡形成防止量を、Ｎ，Ｎ−ビス（３−アミノプロピル）ドデシルアミンを含む前記組成物に添加する工程を含む方法。
【発明の詳細な説明】
【技術分野】
【０００１】
本発明は、Ｎ，Ｎ−ビス（３−アミノプロピル）ドデシルアミンを含む組成物のための脱泡剤として２−プロピルヘプタノールアルコキシレート及びヒドロトロープ（hydrotropes）を含む組成物の使用、並びに前記２−プロピルヘプタノール及びヒドロトロープを含む脱泡組成物に関する。
【背景技術】
【０００２】
気泡は、その存在が所望されない状況において発生することが多く、気泡形成の防止又は低減は多くの用途のために重要である。従って、種々の気泡阻害剤及び脱泡剤が開発されている。
【０００３】
気泡は、例えば界面活性剤、タンパク質、脂質及び殺生物剤により惹起され得る。種々の脱泡剤は通常、物質クラスのそれぞれについて有効な脱泡を得ることを要求される。脱泡が特に困難な組成物のタイプは、殺生物剤Ｎ，Ｎ−ビス（３−アミノプロピル）ドデシルアミンを含む組成物である。
【０００４】
脂肪族アルコールのプロポキシレートは、脱泡剤として早期から使用されている。
【０００５】
独国特許第３０１８１７３号は、５〜１５のＰＯ単位を有する分枝状Ｃ１２−Ｃ２２アルコールベースの洗剤を含む、高度にアルカリ性で貯蔵安定性の低起泡固体清浄組成物に関する。特に好ましい生成物は、１０モルのプロピレンオキシドと反応させたＣ１６Ｇｕｅｒｂｅｔアルコールと記述された。
【０００６】
米国特許出願公開第２００５／０２１５４５２号は、乳化剤、気泡調節剤及び湿潤剤としてのＣ１０アルカノールアルコキシレート混合物の使用に関する。ＰＯ単位とＥＯ単位の両方を含む生成物が好ましいが、具体的には最大１．７１のＰＯを有する２−プロピルヘプタノールプロポキシレートが開示されている。
【先行技術文献】
【特許文献】
【０００７】
【特許文献１】独国特許第３０１８１７３号
【特許文献２】米国特許出願公開第２００５／０２１５４５２号
【発明の概要】
【課題を解決するための手段】
【０００８】
目下驚くべきことに、式（Ｉ）
【化１】
0005468617.tif 000002
［式中、Ｘ＝（ＣＨ２）ａＣＨ３（式中、ａ＝０又は１、好ましくは０である）であり；ｎは少なくとも０．５、より好ましくは少なくとも１．０、いっそうより好ましくは少なくとも１．５、いっそうより好ましくは少なくとも１．８、いっそうより好ましくは少なくとも２．０、いっそうより好ましくは少なくとも２．５、いっそうより好ましくは少なくとも３、いっそうより好ましくは少なくとも３．２、最も好ましくは少なくとも３．５であり、多くとも５、好ましくは多くとも４．７、より好ましくは多くとも４．５、さらにより好ましくは多くとも４．３、最も好ましくは多くとも４である］を有する少なくとも１種の化合物及び分枝状又は線状Ｃ４−Ｃ１０−アルキルグリコシド、好ましくはＣ４−Ｃ８−アルキルグリコシド、より好ましくはＣ６−Ｃ８−アルキルグリコシド、さらにより好ましくはＣ８−アルキルグリコシド、最も好ましくは分枝状Ｃ８−アルキルグリコシドからなる群より選択される少なくとも１種のヒドロトロープを含む組成物が、Ｎ，Ｎ−ビス（３−アミノプロピル）ドデシルアミンを含有する溶液のための、及びその溶液中での優れた脱泡剤及び／又は消泡剤であることが見出された。
【発明を実施するための形態】
【０００９】
本明細書において使用される用語「消泡(anti-foaming)」は、気泡形成の（完全な、又は部分的な）防止に関する。従って、消泡剤（anti-foaming agent）又は消泡剤（anti-foamer）は典型的には、気泡の形成を防止するために組成物に添加される。本明細書において使用される用語「脱泡（defoaming）」は、気泡の容積の低減に関する。従って、脱泡剤（defoaming agent）又は脱泡剤（defoamer）は典型的には、既に存在する気泡の容積を低減させるために起泡した組成物に添加される。
【００１０】
以下、用語「消泡」及び「脱泡」は集合的に「脱泡」と呼ばれる。
【００１１】
式（Ｉ）の化合物及びヒドロトロープを含む組成物は好ましくは、少なくとも１種の式（Ｉ）を有する化合物及び少なくとも１種の分枝状又は線状Ｃ４−Ｃ１０−アルキルグリコシドを含む水性脱泡組成物である。
【００１２】
式（Ｉ）の化合物は、２−プロピルヘプタノールプロポキシレート及びブトキシレートである。これらのアルコキシレートは、当分野において周知の方法により、例えばアルカリ触媒、例えば水酸化カリウムの存在下で２−プロピルヘプタノールをプロピレンオキシド又はブチレンオキシドとそれぞれ反応させることにより生成される。
【００１３】
本明細書において呼ばれるアルキルグリコシドは、式ＣｍＨ２ｍ＋１ＯＧｎ（式中、ｍは４〜１０の数であり、Ｇは単糖残基であり、ｎは１から５である）の化合物である。アルキルグリコシドは、好ましくはヘキシルグリコシド又はオクチルグリコシド、最も好ましくはヘキシルグルコシド又はオクチルグルコシドであり、ヘキシル基は好ましくはｎ−ヘキシルであり、オクチル基は好ましくは２−エチルヘキシルである。
【００１４】
脱泡組成物は、アニオン性であるさらなるヒドロトロープ、例えばアシル基が８〜２２個、好ましくは９〜１６個の炭素原子を含有し、飽和若しくは不飽和であってよく、線状若しくは分枝状であってよい脂肪酸石鹸（fatty acid soap）；並びに／又はクメンスルホネート及びキシレンスルホネートからなる群より選択されるスルホネートを場合により含有してよい。さらなるヒドロトロープは、好ましくは脂肪酸石鹸である。
【００１５】
上記のヒドロトロープ／ヒドロトロープ系は、本発明において使用される脱泡組成物に特に有効である。両性及びエトキシル化第４級アンモニウム化合物は、これに関する使用にそれほど有効ではない。
【００１６】
ヒドロトロープの総量と式（Ｉ）の化合物との重量比は、好適には１：１から７：１、通常は約５：１である。
【００１７】
第１の態様において、本発明は、本発明の組成物それ自体に関する。
【００１８】
第２の態様において、本発明は、Ｎ，Ｎ−ビス（３−アミノプロピル）ドデシルアミンを含む組成物のための脱泡剤としての本発明の組成物の使用に関する。脱泡剤としてのこのような使用のため、本発明の組成物は、好ましくはＮ，Ｎ−ビス（３−アミノプロピル）ドデシルアミンを実質的に含まず、又は０．０１ｗｔ％未満含む。
【００１９】
本発明はまた、
ａ）化合物Ｃ５Ｈ１１ＣＨ（ＣＨ２ＣＨ２ＣＨ３）ＣＨ２Ｏ（ＣＨ２ＣＨ（Ｘ）Ｏ）ｎＨ  （Ｉ）
［式中、Ｘ＝（ＣＨ２）ａＣＨ３（式中、ａ＝０又は１、好ましくは０である）であり；ｎは少なくとも０．５、より好ましくは少なくとも１．０、いっそうより好ましくは少なくとも１．５、いっそうより好ましくは少なくとも１．８、いっそうより好ましくは少なくとも２．０、いっそうより好ましくは少なくとも２．５、いっそうより好ましくは少なくとも３、いっそうより好ましくは少なくとも３．２、最も好ましくは少なくとも３．５であり、多くとも５、好ましくは多くとも４．７、より好ましくは多くとも４．５、さらにより好ましくは多くとも４．３、最も好ましくは多くとも４、例えば１．８〜５である］、
ｂ）分枝状又は線状Ｃ４−Ｃ１０−アルキルグリコシド、好ましくはＣ４−Ｃ８−アルキルグリコシド、より好ましくはＣ６−Ｃ８−アルキルグリコシド、さらにより好ましくはＣ８−アルキルグリコシド、最も好ましくは分枝状Ｃ８−アルキルグリコシドからなる群より選択される少なくとも１種のヒドロトロープ
ｃ）場合により、アシル基が８〜２２個、好ましくは９〜１８個の炭素原子を含有し、飽和若しくは不飽和であってよく、線状若しくは分枝状であってよい脂肪酸石鹸；又はクメンスルホネート及びキシレンスルホネートからなる群より選択されるスルホネートからなる群より選択される１種若しくはそれ以上のアニオン性ヒドロトロープ、並びに
ｄ）Ｎ，Ｎ−ビス（３−アミノプロピル）ドデシルアミン
を含む低起泡消毒組成物に関する。
【００２０】
上記の低起泡消毒組成物は通常、０．０２〜１重量％、好ましくは０．１〜１重量％、より好ましくは０．１５〜１重量％、最も好ましくは０．２〜１重量％の式（Ｉ）の化合物及び１〜５重量％のヒドロトロープを含む。ヒドロトロープの総量と式（Ｉ）の化合物との重量比は、好適には１：１から７：１、通常は約５：１である。Ｎ，Ｎ−ビス（３−アミノプロピル）ドデシルアミンの量は通常、脱泡すべき組成物の重量に基づき０．０１〜２重量％の間で変動し、前記組成物はアルカリ水酸化物及び／又はアルカリ錯化剤を含有してもよい。
【００２１】
脱泡すべき組成物に式（Ｉ）の化合物それ自体を添加するのではなく、式（Ｉ）の化合物及び１種又はそれ以上のヒドロトロープを含有する脱泡組成物を添加することが有利である。式（Ｉ）の化合物の溶解度は、特にその化合物が多量の電解質、例えばアルカリ水酸化物及びアルカリ錯化剤を含有する場合に水溶液中で制限される。式（Ｉ）の化合物それ自体を添加することは実験スケールで可能であるが、このことは商業目的の大規模スケールについてはもはや当てはまらない。
【００２２】
脱泡組成物は、広範な気泡発生剤、例えばタンパク質、脂質及び一般界面活性剤、例えば非イオン性、アニオン性、カチオン性又は両性界面活性剤、並びに殺生物剤のための脱泡剤としても機能するが、Ｎ，Ｎ−ビス（３−アミノプロピル）ドデシルアミンのための脱泡剤として特に好適である。さらに、脱泡組成物は中性組成物と高アルカリ性組成物の両方において使用することができる。
【００２３】
本発明の脱泡組成物は、アルカリＣＩＰ（定置洗浄（Cleaning In Place））用途、例えば食品産業又は任意の他の産業における容器の清浄及び消毒において、硬質表面の清浄、例えば機械皿洗浄及び瓶清浄のための配合物中で、金属工作用配合物中で、洗濯、家庭用及び他の清浄配合物中で、殺生物剤配合物中で、ペイント及び塗料の調製並びにそれらの塗布において、並びに液体冷却及びプロセス系において使用することができる。
【００２４】
本発明を以下の非限定的な実施例により目下説明する。
一般的実験
【表１】
0005468617.tif 000003
【００２５】
気泡試験１〜４を、方法EN 14371:2004,「Surface active agents - Determination of foamability and degree of foamability - Circulation test method」（以下、「循環法」と呼ぶ）に従って実施した。
【００２６】
手順
循環法をアルカリ、界面活性剤及び脱泡剤を含有する配合物を起泡させるために使用し、これは起泡性の試験を可能とした。
【００２７】
５００ｍｌを再循環用円筒に添加し、配合物を２００ｌ／時間において２１℃で１０分間循環させた。気泡高さの計測は、実験を通して１分毎に行った。以下の実験においては、気泡高さをｍｍで計測する。これらの実験に使用される再循環用円筒内で、ｍｍで計測された気泡高さはｍｌの同一の値に対応する（１ｍｍは１ｍｌに対応する）。全ての百分率は重量による。
【実施例１】
【００２８】
循環法による起泡性試験
本試験において、流体の循環が始まる前に、いかなるヒドロトロープも有しないアルコールアルコキシレートを溶液中に添加した。
【００２９】
１％ ＮａＯＨ、０．０３３％ Ｔｒｉａｍｅｅｎ  Ｙ１２Ｄ（起泡剤）、及び０．０５％ アルコールアルコキシレートを水中で含有する５００ｍｌの配合物を調製し、次いで循環を開始した。
【００３０】
参照は、いかなるアルコールアルコキシレートも用いないものであり、気泡高さをｍｍで計測する。
【表２】
0005468617.tif 000004
【実施例２】
【００３１】
循環法による起泡性試験
本試験において、気泡が蓄積した後に、いかなるヒドロトロープも有しないアルコールアルコキシレートを添加した。１％ ＮａＯＨ及び０．０３３％ Ｔｒｉａｍｅｅｎ  Ｙ１２Ｄを水中で含有する５００ｍｌの配合物を調製した。配合物を円筒に添加し、再循環を開始した。気泡高さが３１０ｍｍであるとき、０．２５ｇのアルコールアルコキシレートを気泡頂部から添加した（溶液中のアルコールアルコキシレートの濃度＝０．０５％）。
【表３】
0005468617.tif 000005
【実施例３】
【００３２】
表３のブレンドＡ〜Ｈを調製した。全てのアルコールアルコキシレートを、ヒドロトロープとしてのＡＧ６２０２とブレンドする。成分の量を重量％として挙げる。
【表４】
0005468617.tif 000006
水性組成物１
７％のブレンドＡ〜Ｈ（表３Ａ参照）
１２．５％ ＮａＯＨ
１２．５％ Ｎａ４ＥＤＴＡ
６８％ 水
水性組成物２
４％の水性組成物１
９６％ 水
【００３３】
溶液は、１％ アルカリ及び０．０５％ 脱泡剤を目下含有している。
【００３４】
Ｔｒｉａｍｅｅｎ  Ｙ１２Ｄを、溶液中で０．０３３％の濃度を生じさせる量で再循環前に溶液中に混合する。
【００３５】
組成物２を循環させ、生じた気泡の量を提示の時点において全ての組成物についてｍｍで挙げる（表３Ｂ参照）。
【表５】
0005468617.tif 000007
【００３６】
表３Ｂから、本発明による脱泡組成物（Ａ〜Ｃ）は、より大きいプロピレンオキシ単位を有する生成物又はエトキシル化生成物を含む比較組成物（Ｄ〜Ｈ）よりも有効であることが明白である。
【実施例４】
【００３７】
以下の組成物を調製した：
【表６】
0005468617.tif 000008
【００３８】
アルコールアルコキシレート及びヒドロトロープの全てのブレンドは澄明であるが、Ｄ及びＤ１を、アルカリ及びＴｒｉａｍｅｅｎ  Ｙ１２Ｄを含有する配合物に添加することにより混濁配合物が生成したので、アルコールアルコキシレートの相対量を低減させて澄明な配合物（Ｄ２）を得た。Ｃを添加することによって混濁配合物は生成しなかったが、ヒドロトロープとアルコールアルコキシレートとの同一の重量比を有する配合物（Ｃ２）を比較のために調製した。
組成物１
２８％ Ｄ２又はＣ２
１２．％ ＮａＯＨ
１２．％ ＥＤＴＡ
４７％ 水
組成物２
４％の組成物１
０．０３３％（活性含有率）Ｔｒｉａｍｅｅｎ  Ｙ１２Ｄ
（配合物は１％ アルカリ、１．１％ ヒドロトロープ及び０．０５％ アルコールアルコキシレートを含有する）
【００３９】
組成物２を循環させた。
【表７】
0005468617.tif 000009
【００４０】
より多量のヒドロトロープは、Ｃ２に対していかなる有害作用も有しなかった。
【実施例５】
【００４１】
低起泡殺生物剤配合物を調製した：
２．４％ ＡＧ６２０２
０．６４％ イソノナン酸
１％ ２−プロピルヘプタノール＋３．５ＥＯ
１％ Ｔｒｉａｍｅｅｎ  Ｙ１２Ｄ
１６％ ＮａＯＨ
１４％ ＥＤＴＡ
残部水
【００４２】
３％の上記殺生物剤配合物を含有する溶液を調製し、この溶液を２００ｌ／時間の流速において６０℃の温度で循環させた。
【表８】
0005468617.tif 000010
【００４３】
本発明によるアルキルグリコシド及びアニオン性ヒドロトロープの混合物の存在下での２−プロピルヘプタノール＋３．５ＰＯは、２０分の時間の間、気泡高さを出発値に維持することができた。
以下に、本願の当初の特許請求の範囲に記載された発明を付記する。
［１］
式（Ｉ）；
Ｃ５Ｈ１１ＣＨ（ＣＨ２ＣＨ２ＣＨ３）ＣＨ２Ｏ（ＣＨ２ＣＨ（Ｘ）Ｏ）ｎＨ  （Ｉ）
［式中、Ｘ＝（ＣＨ２）ａＣＨ３（式中、ａ＝０又は１である）であり、ｎ＝０．５〜５である］の化合物；及び分枝状又は線状Ｃ４−Ｃ１０アルキルグリコシドからなる群より選択される１種又はそれ以上のヒドロトロープを含む組成物。
［２］
前記ヒドロトロープがｎ−ヘキシルグルコシド又は２−エチルヘキシルグルコシドである、［１］に記載の組成物。
［３］
アシル基が８〜２２個、好ましくは９〜１８個の炭素原子を含有し、飽和若しくは不飽和であってよく、線状若しくは分枝状であってよい脂肪酸石鹸；又はクメンスルホネート及びキシレンスルホネートの群から選択されるスルホネートからなる群より選択される１種若しくはそれ以上のアニオン性ヒドロトロープをさらに含む、［１］又は［２］に記載の組成物。
［４］
Ｎ，Ｎ−ビス（３−アミノプロピル）ドデシルアミンを実質的に含まず、又は０．０１ｗｔ％未満含有する、［１］から［３］のいずれか一に記載の組成物。
［５］
低起泡消毒組成物として使用される、Ｎ，Ｎ−ビス（３−アミノプロピル）ドデシルアミンをさらに含む、［１］から［３］のいずれか一に記載の組成物。
［６］
Ｎ，Ｎ−ビス（３−アミノプロピル）ドデシルアミンを含む組成物のための脱泡剤及び／又は消泡剤としての、［１］から［４］のいずれか一に記載の組成物の使用。
［７］
アルカリＣＩＰ用途における、硬質表面の清浄のための配合物中での、殺生物剤配合物中での、洗濯、家庭用及び他の清浄配合物中での、金属工作用配合物中での、ペイント及び塗料の調製並びにそれらの塗布における、並びに液体冷却及びプロセス系における、［６］に記載の使用。
［８］
Ｎ，Ｎ−ビス（３−アミノプロピル）ドデシルアミンを含む組成物中で気泡形成を防止する方法であって、［１］から［４］に記載の組成物の気泡形成防止量を、Ｎ，Ｎ−ビス（３−アミノプロピル）ドデシルアミンを含む前記組成物に添加する工程を含む方法。